【誤訳訂正書】
【提出日】平成29年8月4日(2017.8.4)
【誤訳訂正１】
【訂正対象書類名】明細書
【訂正対象項目名】全文
【訂正方法】変更
【訂正の内容】
【発明の詳細な説明】
【発明の名称】ストリーム・メディア・データを再生する方法および装置
【関連出願の相互参照】
【０００１】
本出願は、２０１４年８月１３日付けで出願された中国特許出願第２０１４１０４０５００７．１号を基礎として優先権を主張し、この中国出願の内容全体が参照によって本明細書に組み込まれる。
【技術分野】
【０００２】
本開示は、ホームネットワークの分野、より詳しくは、ストリーム・メディア・データを再生する方法および装置に関する。
【背景技術】
【０００３】
無線ネットワークの普及に伴って、無線ネットワークに接続可能なスマートカメラが急速に発展している。スマートカメラが監視を行うために使用されるとき、スマートカメラは、ストリーム・メディア・データを収集し、収集されたストリーム・メディア・データを再生装置に再生させる。
【０００４】
関連技術では、端末は、電源投入されているスマートカメラを検出するためにカメラに対応するカメラクライアントを動作させる。スマートカメラを設定する命令を受信したとき、端末は、スマートカメラの名前と、接続される無線ローカル・エリア・ネットワークとを設定する。設定が完了したとき、スマートカメラによって収集されたストリーム・メディア・データは、カメラクライアントを介して端末で再生される。
【０００５】
上記技術において、ストリーム・メディア・データは、カメラクライアントが設けられた端末以外の装置で再生されることがあり得ない。このような事例では、ストリーム・メディア・データの再生は、端末によって制限され、その結果、ストリーム・メディア・データを再生する柔軟性が不足する。
【発明の概要】
【０００６】
関連技術に存在する課題を解決するために、本開示は、ストリーム・メディア・データを再生する方法および装置を提供する。
【０００７】
本開示の実施形態の第１の態様によれば、ストリーム・メディア・データを再生する方法が提供される。この方法は、第１の端末によって、スマートカメラにより収集されたストリーム・メディア・データに対応する、スマートカメラの再生アドレスを取得することと、第１の端末によって、ストリーム・メディア・データを再生する機能を有する少なくとも１台の端末の装置情報を含む再生装置のリストを表示することと、第１の端末が、少なくとも１台の端末のうちいずれかの端末であって、再生アドレスに基づいてストリーム・メディア・データを取得し、ストリーム・メディア・データを画像に変換して再生するような第２の端末を選択する命令を受信した場合、再生アドレスを第２の端末に送信することと、を含む。
【０００８】
好ましくは、第１の端末によってスマートカメラの再生アドレスを取得することは、第１の端末によってスマートカメラのアドレス情報を取得することと、アドレス情報に基づいて第１の端末によって特定のフォーマットに従って再生アドレスを発生させることとを含む。
【０００９】
好ましくは、第１の端末によってスマートカメラのアドレス情報を取得することは、第１の端末によって、スマートカメラおよび第１の端末を収容しているネットワークである無線ローカル・エリア・ネットワークを介してスマートカメラにより送信された、スマートカメラのアドレス情報を少なくとも搬送するブロードキャストパケットを受信すること、または、スマートカメラが特定のルータを介して無線ローカル・エリア・ネットワークに接続されている場合、特定のルータからスマートカメラのアドレス情報を取得するために、第１の端末によってアドレス情報を取得することについての要求を特定のルータに送信すること、または、スマートカメラの識別情報を取得するために、第１の端末によって、スマートカメラに貼り付けられたグラフィックコードを走査し、ネットワークサーバからスマートカメラのアドレス情報を取得するためにスマートカメラの識別情報をネットワークサーバに送信することを含む。
【００１０】
好ましくは、第１の端末によって再生装置のリストを表示することは、少なくとも１台の端末が特定のルータを介して無線ローカル・エリア・ネットワークに接続されている場合、第１の端末によって、リストを取得することについての要求を特定のルータに送信することと、第１の端末によって、特定のルータから送信された再生装置のリストを受信することと、第１の端末によって再生装置のリストを表示することとを含む。
【００１１】
本開示の実施形態の第２の態様によれば、ストリーム・メディア・データを再生する方法が提供される。この方法は、第２の端末によって、第１の端末から送信された、スマートカメラの再生アドレスであり、スマートカメラによって収集されたストリーム・メディア・データに対応する再生アドレスを受信することと、第２の端末によって、再生アドレスを搬送する、ストリーム・メディア・データを取得することについての要求をスマートカメラに送信することと、第２の端末がスマートカメラから送信されたストリーム・メディア・データを受信した場合、ストリーム・メディア・データを画像に変換して再生することと、を含む。
【００１２】
好ましくは、第２の端末が第１の端末から送信された再生アドレスを受信する前に、この方法は、第２の端末が特定のルータを介して無線ローカル・エリア・ネットワークに接続されている場合、第２の端末によって第２の端末の装置情報を特定のルータに送信することと、特定のルータによって装置情報を再生装置のリストに追加することとをさらに含む。
【００１３】
本開示の実施形態の第３の態様によれば、ストリーム・メディア・データを再生する装置が提供される。この装置は、スマートカメラによって収集されたストリーム・メディア・データに対応するスマートカメラの再生アドレスを取得するように構成されている再生アドレス取得モジュールと、ストリーム・メディア・データを再生する機能を有する少なくとも１台の端末の装置情報を含む再生装置のリストを表示するように構成されているリスト表示モジュールと、少なくとも１台の端末のうちいずれかの端末であって、再生アドレスに基づいてストリーム・メディア・データを取得し、ストリーム・メディア・データを画像に変換して再生するような第２の端末を選択する命令を受信したとき、再生アドレスを第２の端末に送信するように構成されている再生アドレス送信モジュールと、を含む。
【００１４】
好ましくは、再生アドレス取得モジュールは、スマートカメラのアドレス情報を取得するように構成されているアドレス情報取得ユニットと、アドレス情報に基づいて特定のフォーマットに従って再生アドレスを発生させるように構成されている再生アドレス発生ユニットとを含む。
【００１５】
好ましくは、アドレス情報取得ユニットは、スマートカメラおよび第１の端末を収容しているネットワークである無線ローカル・エリア・ネットワークを介してスマートカメラによって送信された、スマートカメラのアドレス情報を少なくとも搬送するブロードキャストパケットを受信するように構成されている受信サブユニット、または、スマートカメラが特定のルータを介して無線ローカル・エリア・ネットワークに接続されている場合、特定のルータからスマートカメラのアドレス情報を取得するために、アドレス情報を取得することについての要求を特定のルータに送信するように構成されている送信サブユニット、または、スマートカメラの識別情報を取得するためにスマートカメラに貼り付けられたグラフィックコードを走査し、ネットワークサーバからスマートカメラのアドレス情報を取得するためにスマートカメラの識別情報をネットワークサーバに送信するように構成されている走査サブユニットを含む。
【００１６】
好ましくは、リスト表示モジュールは、少なくとも１台の端末が特定のルータを介して無線ローカル・エリア・ネットワークに接続されているとき、リストを取得することについての要求を特定のルータに送信するように構成されている要求送信ユニットと、特定のルータから送信された再生装置のリストを受信するように構成されているリスト受信ユニットと、再生装置のリストを表示するように構成されているリスト表示ユニットとを含む。
【００１７】
本開示の実施形態の第４の態様によれば、ストリーム・メディア・データを再生する装置が提供される。この装置は、第１の端末から送信された、スマートカメラの再生アドレスであり、スマートカメラによって収集されたストリーム・メディア・データに対応する再生アドレスを受信するように構成されている再生アドレス受信モジュールと、再生アドレスを搬送する、ストリーム・メディア・データを取得することについての要求をスマートカメラに送信するように構成されている要求送信モジュールと、スマートカメラから送信されたストリーム・メディア・データを受信した場合、ストリーム・メディア・データを画像に変換して再生するように構成されている再生モジュールと、を含む。
【００１８】
好ましくは、この装置は、第２の端末が装置情報を再生装置のリストに追加する特定のルータを介して無線ローカル・エリア・ネットワークに接続されている場合、第２の端末の装置情報を特定のルータに送信するように構成されている装置情報送信モジュールをさらに含む。
【００１９】
本開示の実施形態の第５の態様によれば、ストリーム・メディア・データを再生する装置が提供される。この装置は、プロセッサと、プロセッサによって実行可能な命令を記憶するように構成されているメモリとを含む。プロセッサは、スマートカメラによって収集されたストリーム・メディア・データに対応するスマートカメラの再生アドレスを取得し、ストリーム・メディア・データを再生する機能を有する少なくとも１台の端末の装置情報を含む再生装置のリストを表示し、少なくとも１台の端末のうちいずれかの端末であって、再生アドレスに基づいてストリーム・メディア・データを取得し、ストリーム・メディア・データを画像に変換して再生するような第２の端末を選択する命令を受信したとき、再生アドレスを第２の端末に送信するように構成されている。
【００２０】
本開示の実施形態の第６の態様によれば、ストリーム・メディア・データを再生する装置が提供される。この装置は、プロセッサと、プロセッサによって実行可能な命令を記憶するように構成されているメモリとを含む。プロセッサは、第１の端末から送信された、スマートカメラの再生アドレスであり、スマートカメラによって収集されたストリーム・メディア・データに対応する再生アドレスを受信し、再生アドレスを搬送する、ストリーム・メディア・データを取得することについての要求をスマートカメラに送信し、スマートカメラから送信されたストリーム・メディア・データを受信したとき、ストリーム・メディア・データを画像に変換して再生するように構成されている。
【００２１】
本開示の実施形態によって提供された技術的解決手段は、以下の有利な効果を有することがある。
【００２２】
本開示の実施形態では、第１の端末は、スマートカメラによって収集されたストリーム・メディア・データの再生アドレスを取得し、次に、ユーザがストリーム・メディア・データを再生するための第２の端末を選択する際に基づくような再生装置のリストを表示する。第２の端末が決定された後、第１の端末は、再生アドレスを第２の端末に送信し、第２の端末は、スマートカメラによって収集されたストリーム・メディア・データを取得し、データを画像に変換して再生する。再生装置のリストは、第１の端末以外の別の端末の装置情報を含むことがある。それ故に、本開示の実施形態による方法を用いると、スマートカメラと一緒に構成された第１の端末によってストリーム・メディア・データを再生できるだけでなく、端末からの制限なしに再生されることがあるようなストリーム・メディア・データを再生するため別の端末に自由に切り換えることもでき、このようにして、ストリーム・メディア・データを再生する柔軟性を改善する。
【００２３】
以上の概要および以下の詳述はどちらも、請求項に記載された発明の単なる例示および説明であり、限定ではないことを理解されたい。
【００２４】
本明細書に組み込まれ、本明細書の一部を構成する添付図面は、本開示と一致している実施形態を例示し、明細書本文と一体となって、本開示の原理を説明するために役立つ。
【図面の簡単な説明】
【００２５】
【図１】例示的な実施形態に従ってストリーム・メディア・データを再生する方法のフローチャートである。
【００２６】
【図２】例示的な実施形態に従ってストリーム・メディア・データを再生する別の方法のフローチャートである。
【００２７】
【図３】例示的な実施形態に従ってストリーム・メディア・データを再生するさらに別の方法のフローチャートである。
【００２８】
【図４】例示的な実施形態に従ってストリーム・メディア・データを再生するシステムの概略図である。
【００２９】
【図５】例示的な実施形態による第１の端末内のカメラクライアントのインターフェースの概略図である。
【００３０】
【図６】例示的な実施形態に従ってストリーム・メディア・データを再生する装置のブロック図である。
【００３１】
【図７】例示的な実施形態に従ってストリーム・メディア・データを再生する別の装置のブロック図である。
【００３２】
【図８】例示的な実施形態による装置のブロック図である。
【００３３】
【図９】例示的な実施形態による別の装置のブロック図である。
【発明を実施するための形態】
【００３４】
ここで、例が添付図面に例示されている例示的な実施形態を詳細に参照する。以下の説明は、様々な図面中の同じ符号が特に断らない限り同一もしくは類似の要素を表現する添付図面を参照する。例示的な実施形態についての以下の説明中に記載された実施は、開示と一致する全ての実施を表現するものではない。むしろ、これらの実施は、請求項に記載された開示に関連する態様と一致する装置および方法の単なる例である。
【００３５】
図１は、例示的な実施形態によるストリーム・メディア・データを再生する方法のフローチャートである。図１を参照すると、この方法は、第１の端末において適用されることがあり、第１の端末は、コンフィギュレーション端末であり、スマートカメラクライアントが設けられている。この方法は、以下のステップを含む。
【００３６】
ステップ１０１では、第１の端末は、スマートカメラの再生アドレスを取得し、再生アドレスは、スマートカメラによって収集されたストリーム・メディア・データに対応する。
【００３７】
ステップ１０２では、第１の端末は、再生装置のリストを表示し、このリストは、ストリーム・メディア・データを再生する機能を有する少なくとも１台の端末の装置情報を含む。
【００３８】
ステップ１０３では、第１の端末は、少なくとも１台の端末のうちいずれかの端末であって、再生アドレスに基づいてストリーム・メディア・データを取得し、ストリーム・メディア・データを再生のための画像に変換するような第２の端末を選択する命令を受信した場合、再生アドレスを第２の端末に送信する。
【００３９】
本開示の実施形態では、第１の端末は、スマートカメラの再生アドレスを取得し、次に、ユーザがストリーム・メディア・データを再生するための第２の端末を選択する際に基づくリストのような再生装置のリストを表示する。第２の端末が決定された後、第１の端末は、再生アドレスを第２の端末に送信し、第２の端末は、スマートカメラによって収集されたストリーム・メディア・データを取得し、データを再生のための画像に変換する。再生装置のリストは、第１の端末以外の他の端末を含むことがある。それ故に、本開示の実施形態による方法を用いると、この方法は、スマートカメラを用いて構成された第１の端末によってストリーム・メディア・データを再生できるだけでなく、端末からの制限なしで再生されることがあるようなストリーム・メディア・データを再生するため別の端末に自由に切り換えることもできるので、ストリーム・メディア・データを再生する柔軟性を改善する。
【００４０】
好ましくは、第１の端末によってスマートカメラの再生アドレスを取得するステップは、第１の端末によってスマートカメラのアドレス情報を取得することと、アドレス情報に基づいて第１の端末によって特定のフォーマットに従って再生アドレスを発生させることとを含む。
【００４１】
好ましくは、第１の端末によってスマートカメラのアドレス情報を取得するステップは、第１の端末によって、スマートカメラおよび第１の端末を収容しているネットワークである無線ローカル・エリア・ネットワークを介してスマートカメラによって送信された、スマートカメラのアドレス情報を少なくとも搬送するブロードキャストパケットを受信すること、または、スマートカメラが特定のルータを介して無線ローカル・エリア・ネットワークに接続されている場合、特定のルータからスマートカメラのアドレス情報を取得するために、第１の端末によってアドレス情報を取得することについての要求を特定のルータに送信すること、または、スマートカメラの識別情報を取得するために第１の端末によって、スマートカメラに貼り付けられたグラフィックコードを走査し、ネットワークサーバからスマートカメラのアドレス情報を取得するためにスマートカメラの識別情報をネットワークサーバに送信することを含む。
【００４２】
好ましくは、第１の端末によって再生装置のリストを表示するステップは、少なくとも１台の端末が特定のルータを介して無線ローカル・エリア・ネットワークに接続されているとき、第１の端末によって、リストを取得することについての要求を特定のルータに送信することと、第１の端末によって、特定のルータから送信された再生装置のリストを受信することと、第１の端末によって、再生装置のリストを表示することとを含む。
【００４３】
上記代替的な技術的解決手段は、いずれの組み合わせでも、本明細書において詳述されていない本開示の代替的な実施形態を形成することができる。
【００４４】
図２は、例示的な実施形態に従ってストリーム・メディア・データを再生する別の方法のフローチャートである。図２を参照すると、この方法は、第２の端末において適用されることがあり、第２の端末は、ストリーム・メディア・データを再生するために使用される可能性がある。この方法は、以下のステップを含む。
【００４５】
ステップ２０１では、第２の端末は、第１の端末から送信された、スマートカメラの再生アドレスであり、スマートカメラによって収集されたストリーム・メディア・データに対応する再生アドレスを受信する。
【００４６】
ステップ２０２では、第２の端末は、再生アドレスを搬送する、ストリーム・メディア・データを取得することについての要求をスマートカメラに送信する。
【００４７】
ステップ２０３では、第２の端末は、スマートカメラから送信されたストリーム・メディア・データを受信した場合、ストリーム・メディア・データを画像に変換して再生する。
【００４８】
好ましくは、第２の端末によって、第１の端末から送信された再生アドレスを受信する前に、この方法は、第２の端末が特定のルータを介して無線ローカル・エリア・ネットワークに接続されている場合、第２の端末によって、第２の端末に関する情報をこの情報を再生装置のリストに追加するような特定のルータに送信することをさらに含む。
【００４９】
本開示の実施形態では、第２の端末は、第１の端末から送信されたスマートカメラの再生アドレスを取得し、次に、再生アドレスに従ってスマートカメラからストリーム・メディア・データを取得し、このデータを画像に変換して再生する。第２の端末は、第１の端末以外の別の端末である可能性がある。それ故に、本開示の実施形態による方法を用いると、この方法は、スマートカメラを用いて構成された第１の端末によってストリーム・メディア・データを再生できるだけでなく、端末からの制限なしに再生されることがあるようなストリーム・メディア・データを再生するため別の端末に自由に切り換えることもできるので、ストリーム・メディア・データを再生する柔軟性を改善する。
【００５０】
図３は、例示的な実施形態によるストリーム・メディア・データを再生する別の方法のフローチャートである。図４は、例示的な実施形態によるストリーム・メディア・データを再生するシステムの概略図である。このシステムは、スマートカメラと、第１の端末と、第２の端末と、少なくとも１台の端末の中の第２の端末以外の別の端末と、ネットワークサーバとを含む。第１の端末は、スマートカメラを用いて構成されている端末である。少なくとも１台の端末の中の第２の端末および別の端末は、両方ともストリーム・メディア・データを再生する機能を有する端末である。第２の端末は、第１の端末のストリーム・メディア・データが再生のため切り換えられたターゲット端末である。ネットワークサーバは、同じカメラに対応するサーバである。さらに、スマートカメラと、第１の端末と、第２の端末と、少なくとも１台の端末の中の第２の端末以外の別の端末と、ネットワークサーバとは、無線ローカルに接続されている。
【００５１】
図３を参照すると、ストリーム・メディア・データを再生する方法は、以下のステップを含む。
【００５２】
ステップ３０１では、第１の端末は、スマートカメラの再生アドレスを取得し、再生アドレスは、スマートカメラによって収集されたストリーム・メディア・データに対応する。
【００５３】
１つの無線ローカル・エリア・ネットワーク内に複数のスマートカメラが存在することがある。第１の端末がカメラクライアントを用いて複数のスマートカメラを設定するとき、複数のスマートカメラの情報は、第１の端末におけるカメラのリストの中に表示される可能性がある。本開示の実施形態に関わるスマートカメラは、ユーザが複数のスマートカメラの中でこのカメラのモニター画面を監視する必要があるスマートカメラである。たとえば、無線ローカル・エリア・ネットワーク内に３台のスマートカメラ、すなわち、スマートカメラ１、スマートカメラ２、およびスマートカメラ３が存在し、ユーザは、スマートカメラ２のモニター画面を監視したいと思う。このような事例では、スマートカメラ２は、本開示の実施形態に関わるスマートカメラである。カメラクライアントは、カメラクライアントを用いてスマートカメラを設定することができるような第１の端末の中に組み込まれる。
【００５４】
ストリーム・メディア・データは、オーディオデータ、ビデオデータおよびマルチメディアデータを含むことがある。ストリーム・メディア・データの再生アドレスは、ストリーム・メディア・データを取得すべくチャネル、たとえば、再生リンクを提供するために使用される。それ故に、ストリーム・メディア・データを取得するために、ストリーム・メディア・データの再生アドレスは、最初に取得されることが必要である。第１の端末によってスマートカメラの再生アドレスを取得する動作は、第１の端末によってスマートカメラのアドレス情報を取得することと、アドレス情報に基づいて第１の端末によって特定のフォーマットに従って再生アドレスを発生させることとを含むことができる。
【００５５】
無線ローカル・エリア・ネットワーク内の各装置は、１つのアドレス情報が割り当てられる。アドレス情報は、装置を識別するために使用されるだけではなく、装置を探索するためにも使用される。アドレス情報は、インターネット・プロトコル（ＩＰ）アドレスなどである可能性がある。スマートカメラのアドレス情報は、以下の３つの方式で第１の端末によって取得されることがある。
【００５６】
第１の方式では、第１の端末は、スマートカメラおよび第１の端末を収容しているネットワークである無線ローカル・エリア・ネットワークを介してスマートカメラによって送信された、スマートカメラのアドレス情報を少なくとも搬送するブロードキャストパケットを受信する。
【００５７】
第１の方式に関して、無線ローカル・エリア・ネットワーク内のスマートカメラが無線ローカル・エリア・ネットワークに接続されている場合、各スマートカメラは、これの固有の識別情報およびアドレス情報に従ってブロードキャストパケットを発生させる。その後、スマートカメラは、無線ローカル・エリア・ネットワークを介してブロードキャストパケットを周期的に送信し、各ブロードキャストパケットは、スマートカメラの識別情報およびアドレス情報を搬送する。このような事例では、第１の端末がスマートカメラによって送信されたブロードキャストパケットを受信した場合、第１の端末は、スマートカメラの識別情報に従って受信されたブロードキャストパケットからスマートカメラに対応するブロードキャストパケットを選択し、その後、選択されたブロードキャストパケットからスマートカメラのアドレス情報を取得する。
【００５８】
無線ローカル・エリア・ネットワークを介してスマートカメラによって送信されたブロードキャストパケットは、スマートカメラのアドレス情報だけではなく、本開示では具体的に定義されることがない他の情報、たとえば、スマートカメラの名前、スマートカメラの装置情報なども搬送することに注意すべきである。
【００５９】
第２の方式では、スマートカメラが特定のルータを介して無線ローカル・エリア・ネットワークに接続されている場合、第１の端末は、特定のルータからスマートカメラのアドレス情報を取得するために、アドレス情報を取得することについての要求を特定のルータに送信する。
【００６０】
無線ローカル・エリア・ネットワークにおいて、スマートカメラは、通常のルータを用いるだけでなく、特定のルータを用いることによっても無線ローカル・エリア・ネットワークに接続され得る。第２の方式に関して、特定のルータは、特定のルータとカメラクライアントとの間のインターフェースを収容しているので、スマートカメラが特定のルータを介して無線ローカル・エリア・ネットワークに接続されているとき、特定のルータは、特定のルータとカメラクライアントとの間のインターフェースを介して第１の端末から送信されたアドレス情報を取得することについての要求を受信することがあり、この要求は、スマートカメラの識別情報を搬送できる。特定のルータは、スマートカメラの識別情報に従って、スマートカメラの識別情報とスマートカメラのアドレス情報との間の記憶された対応する関係から対応するアドレス情報を取得する。取得されたアドレス情報は、スマートカメラのアドレス情報として決定される。その後、特定のルータは、特定のルータとカメラクライアントとの間のインターフェースを用いてスマートカメラのアドレス情報を第１の端末に送信する。
【００６１】
スマートカメラの識別情報は、本開示において具体的に定義されることがないスマートカメラの名前、無線ローカル・エリア・ネットワーク内のスマートカメラの番号、スマートカメラの製造番号などでもよい。
【００６２】
第３の方式では、第１の端末は、スマートカメラの識別情報を取得するためにスマートカメラに貼り付けられたグラフィックコードを走査し、ネットワークサーバからスマートカメラのアドレス情報を取得するためにスマートカメラの識別情報をネットワークサーバに送信する。
【００６３】
第３の方式に関して、スマートカメラは、ＱＲコード、バーコードなどでもよいグラフィックコードが貼り付けられている。第１の端末は、スマートカメラの識別情報を取得するためにグラフィックコードを走査し、スマートカメラの識別情報をネットワークサーバに送信する。ネットワークサーバがスマートカメラの識別情報を受信したとき、ネットワークサーバは、スマートカメラの識別情報に従って、スマートカメラの識別情報とアドレス情報との間の記憶された対応する関係から対応するアドレス情報を取得する。取得されたアドレス情報は、スマートカメラのアドレス情報として決定される。その後、ネットワークサーバは、スマートカメラのアドレス情報を第１の端末に送信する。
【００６４】
本開示の実施形態では、第１の端末は、無線ローカル・エリア・ネットワーク内のスマートカメラおよび少なくとも１台の端末だけではなく、インターネット内のネットワークサーバとも通信することができる。インターネット内のネットワークサーバは、スマートカメラに対応するサーバであり、各スマートカメラの識別情報およびアドレス情報を記憶するために使用される。当然ながら、ネットワークサーバは、本開示において具体的に定義されることがない他の情報および他の処理機能を記憶することができる。
【００６５】
スマートカメラのアドレス情報が上記３つの方式のうちいずれか１つで取得された後、第１の端末は、アドレス情報に基づいて特定のフォーマットに従ってスマートカメラによって収集されたストリーム・メディア・データの再生アドレスを発生させる。特定のフォーマットは、予め定められることがあり、たとえば、特定のフォーマットは、ＲＴＳＰ：／／ａｄｄｒｅｓｓ  ｉｎｆｏｒｍａｔｉｏｎ／ｃｈ．２６４でもよい。第１の端末によって取得されたスマートカメラのアドレス情報が１２０．２２．１４４．１１０であると仮定すると、第１の端末は、特定のフォーマットＲＴＳＰ：／／ａｄｄｒｅｓｓ  ｉｎｆｏｒｍａｔｉｏｎ／ｃｈ．２６４内のアドレス情報を１２０．２２．１４４．１１０と置換することだけが必要であり、すなわち、スマートカメラによって収集されたストリーム・メディア・データの再生アドレスは、ＲＴＳＰ：／／１２０．２２．１４４．１１０／ｃｈ．２６４である。
【００６６】
本開示の実施形態では、各カメラは、カメラ固有のストリーム・メディア転送プロトコルを有し、それ故に、各カメラは、収集されたデータをストリーム・メディア・データに変換することがあることに注意すべきである。ストリーム・メディア転送プロトコルは、ＲＴＳＰ（リアル・タイム・ストリーミング・プロトコル）、または、本開示に具体的に定義されることがない他のストリーミング・プロトコルである可能性がある。
【００６７】
ステップ３０２では、第１の端末は、再生装置のリストを表示し、リストは、ストリーム・メディア・データを再生する機能を有する少なくとも１台の端末の装置情報を含む。
【００６８】
ストリーム・メディア・データを再生のため第１の端末から別の端末に転送するために、第１の端末は、再生装置のリストを表示することが必要である。概して、このリストは、ストリーム・メディア・データを再生する少なくとも１台の端末の装置情報を含み、少なくとも１台の端末は、スマートカメラが接続されている無線ローカル・エリア・ネットワークに接続されることが必要である。第１の端末によって再生装置のリストを表示する動作は、少なくとも１台の端末が特定のルータを介して無線ローカル・エリア・ネットワークに接続されているとき、第１の端末によってリストを取得することについての要求を特定のルータに送信することと、第１の端末によって、特定のルータから送信された再生装置のリストを受信することと、第１の端末によって再生装置のリストを表示することと、を含む可能性がある。
【００６９】
特定のルータが、第１の端末から送信されたリストを取得することについての要求を受信した後、特定のルータは、記憶されたリストを第１の端末に送信する。
【００７０】
さらに、少なくとも１台の端末が特定のルータを介して無線ローカル・エリア・ネットワークに接続されているとき、少なくとも１台の端末は、少なくとも１台の端末の装置情報を受信された装置情報を再生装置のリストに追加するような特定のルータに送信する。装置情報は、装置の名前、アドレス情報などを格納することがある。たとえば、少なくとも１台の端末のうちいずれか１台の端末の装置情報は、端末の名前（名前１）と、アドレス情報（アドレス１）とを含む。特定のルータは、表１に示されるように、名前１およびアドレス１を再生装置のリストに追加することができる。
【００７１】
【表１】
2017501598.tif 000001
【００７２】
さらに、第１の端末が再生装置のリストを表示するとき、第１の端末は、装置情報中の全ての情報、すなわち、表１中の全ての内容を表示することができる。代替的に、第１の端末は、本開示において具体的に定義されることがない装置情報中の再生装置の名前だけを表示することがある。
【００７３】
本開示の実施形態では、表１に示された再生装置のリストは、説明のための例示に過ぎないが、実用的応用では、再生装置のリストは、本開示において具体的に定義されることがない様々な形式で表示することができることに注意すべきである。
【００７４】
さらに、本開示の実施形態では、第１の端末がスマートカメラによって収集されたストリーム・メディア・データを再生するとき、第１の端末は、ストリーム・メディア・データを再生するインターフェースに再生装置のリストをそのまま表示することができる。当然ながら、第１の端末は、再生装置のリストをそのまま表示するのではなく、表示ボタンをセットすることがある。ユーザが表示ボタンをクリックすることによって表示命令を始動させるとき、第１の端末は、表示命令に基づいて再生装置のリストを表示する。すなわち、第１の端末は、再生装置のリストを表示するために、本開示において具体的に定義されることがないトリガ条件で始動させられる可能性があり、または、トリガ条件なしで再生装置のリストを表示する可能性がある。
【００７５】
本開示の実施形態では、表示命令は、表示ボタンだけでなく、本開示において具体的に定義されることがない他の条件、たとえば、第１の端末の画面をダブルクリックすることによっても始動される可能性があることが留意されるべきである。
【００７６】
たとえば、図５を参照すると、同図は、表示命令が、たとえば、表示タッチによって始動させられることを表している。表示ボタンが表示命令を受信したとき、再生装置が選択される再生装置のリストが図５に表されるように表示され、このリストは、スマートＴＶ  １およびスマートＴＶボックス１を含む。
【００７７】
ステップ３０３では、第２の端末を選択する命令が受信されたとき、スマートカメラによって収集されたストリーム・メディア・データの再生アドレスが第２の端末に送信され、第２の端末は、少なくとも１台の端末のうちいずれか１台である。
【００７８】
第１の端末が再生装置のリストを表示した後、ユーザは、スマートカメラによって収集されたストリーム・メディア・データを再生することができるような第２の端末としてリストから１台の端末を選択することができる。さらに、第２の端末は、第２の端末とカメラクライアントとの間のインターフェースを含むことができる。それ故に、第１の端末が、第２の端末を選択する命令を受信したとき、第１の端末は、第２の端末の装置情報を取得することができる。その後、第２の端末の装置情報に基づいて、スマートカメラの再生アドレスは、第２の端末とカメラクライアントとの間のインターフェースを介して第２の端末に送信される。
【００７９】
選択命令は、クリック、ダブルクリック、スライド、または音声操作などによりユーザによって始動される可能性がある。
【００８０】
ステップ３０４では、第２の端末が第１の端末によって送信された再生アドレスを受信したとき、第２の端末は、再生アドレスを搬送する、ストリーム・メディア・データを取得することについての要求をスマートカメラに送信する。
【００８１】
第２の端末が第１の端末によって送信された再生アドレスを受信したとき、第２の端末は、スマートカメラによって収集されたストリーム・メディア・データを再生することが必要であると決定される。このような事例では、第２の端末は、スマートカメラからストリーム・メディア・データを取得するために、ストリーム・メディア・データを取得することについての要求をスマートカメラに送信することができる。
【００８２】
ステップ３０５では、スマートカメラがストリーム・メディア・データを取得することについての要求を受信した場合、スマートカメラは、収集されたストリーム・メディア・データを第２の端末に送信する。
【００８３】
スマートカメラがストリーム・メディア・データを取得することについての要求を受信したとき、第２の端末は、ストリーム・メディア・データを再生することが必要であると決定され、収集されたストリーム・メディア・データは、第２の端末に送信される。
【００８４】
本開示の実施形態では、第２の端末がスマートカメラによって収集されたストリーム・メディア・データを再生するために選択されたとき、第１の端末は、スマートカメラによって収集されたストリーム・メディア・データを同時に再生することができる。このような事例では、スマートカメラは、収集されたストリーム・メディア・データを第１の端末および第２の端末の両方に送信することが必要である。
【００８５】
ステップ３０６では、スマートカメラによって収集されたストリーム・メディア・データを受信したとき、第２の端末は、ストリーム・メディア・データを画像に変換して再生する。
【００８６】
本開示の実施形態では、第１の端末は、携帯電話機、アイパッドなどのような移動体装置でもよい。少なくとも１台の端末は、移動体装置、または、スマートＴＶ、インターネットＴＶボックスなどのような固定装置でもよい。
【００８７】
本開示の実施形態では、第１の端末は、スマートカメラの再生アドレスを取得し、その後、ユーザがストリーム・メディア・データを再生するための第２の端末をリストから選択するような再生装置のリストを表示することができる。第２の端末が決定されたとき、再生アドレスが、スマートカメラからストリーム・メディア・データを取得し、このデータを画像に変換して再生するような第２の端末に送信される。このリストは、第１の端末以外の他の端末の装置情報を含むことができる。それ故に、本開示の実施形態によれば、スマートカメラを用いて構成された第１の端末によってストリーム・メディア・データを再生できるだけでなく、端末からの制限なしに再生されるようなストリーム・メディア・データを再生する別の端末に自由に切り換えることもできるので、ストリーム・メディア・データを再生する柔軟性を改善する。
【００８８】
図６は、例示的な実施形態によるストリーム・メディア・データを再生する装置のブロック図である。図６を参照すると、この装置は、再生アドレス取得モジュール６０１と、リスト表示モジュール６０２と、再生アドレス送信モジュール６０３とを含む。
【００８９】
再生アドレス取得モジュール６０１は、スマートカメラによって収集されたストリーム・メディア・データに対応するスマートカメラの再生アドレスを取得するように構成されている。
【００９０】
リスト表示モジュール６０２は、再生装置のリストを表示するように構成され、このリストは、少なくとも１台の端末の装置情報を含み、少なくとも１台の端末は、ストリーム・メディア・データを再生する機能を有する。
【００９１】
再生アドレス送信モジュール６０３は、少なくとも１台の端末のうちいずれかの端末であって、再生アドレスに基づいてストリーム・メディア・データを取得し、ストリーム・メディア・データを画像に変換して再生するような第２の端末を選択する命令を受信したとき、再生アドレスを第２の端末に送信するように構成されている。
【００９２】
好ましくは、再生アドレス取得モジュール６０１は、スマートカメラのアドレス情報を取得するように構成されているアドレス情報取得ユニットと、アドレス情報に基づいて特定のフォーマットに従ってスマートカメラの再生アドレスを発生させるように構成されている再生アドレス発生ユニットとを含む。
【００９３】
好ましくは、アドレス情報取得ユニットは、スマートカメラおよび第１の端末を収容しているネットワークである無線ローカル・エリア・ネットワークを介してスマートカメラによって送信された、スマートカメラのアドレス情報を少なくとも搬送するブロードキャストパケットを受信するように構成されている受信サブユニット、または、スマートカメラが特定のルータを介して無線ローカル・エリア・ネットワークに接続されている場合、特定のルータからスマートカメラのアドレス情報を取得するためにアドレス情報を取得することについての要求を特定のルータに送信するように構成されている送信サブユニット、または、スマートカメラの識別情報を取得するためにスマートカメラに貼り付けられたグラフィックコードを走査し、ネットワークサーバからスマートカメラのアドレス情報を取得するためにスマートカメラの識別情報をネットワークサーバに送信するように構成されている走査サブユニットを含む。
【００９４】
好ましくは、リスト表示モジュール６０２は、少なくとも１台の端末が特定のルータを介して無線ローカル・エリア・ネットワークに接続されているとき、リストを取得することについての要求を特定のルータに送信するように構成されている要求送信ユニットと、特定のルータから送信された再生装置のリストを受信するように構成されているリスト受信ユニットと、再生装置のリストを表示するように構成されているリスト表示ユニットと、を含む。
【００９５】
本開示の実施形態では、スマートカメラの再生アドレスが取得され、その後、ユーザがリストからストリーム・メディア・データを再生するための第２の端末を選択するような再生装置のリストが表示される。第２の端末が決定されたとき、再生アドレスは、スマートカメラによって収集されたストリーム・メディア・データを取得し、このデータを画像に変換して再生するような第２の端末に送信される。このリストは、第１の端末以外の他の端末の装置情報を含むことができる。それ故に、本開示の実施形態によれば、スマートカメラを用いて構成された第１の端末によってストリーム・メディア・データを再生できるだけでなく、端末からの制限なしに再生されることがあるようなストリーム・メディア・データを再生するための別の端末に自由に切り換えることもできるので、ストリーム・メディア・データを再生する柔軟性を改善する。
【００９６】
上記実施形態における装置に関して、この装置の中の個別のモジュールの具体的な動作モードは、方法に関する実施形態において詳述されているので、ここでは詳述しない。
【００９７】
図７は、例示的な実施形態によるストリーム・メディア・データを再生する別の装置のブロック図である。図７を参照すると、この装置は、再生アドレス受信モジュール７０１と、要求送信モジュール７０２と、再生モジュール７０３とを含む。
【００９８】
再生アドレス受信モジュール７０１は、第１の端末から送信された、スマートカメラの再生アドレスであり、スマートカメラによって収集されたストリーム・メディア・データに対応する再生アドレスを受信するように構成されている。
【００９９】
要求送信モジュール７０２は、再生アドレスを搬送する、ストリーム・メディア・データを取得することについての要求をスマートカメラに送信するように構成されている。
【０１００】
再生モジュール７０３は、スマートカメラから送信されたストリーム・メディア・データを受信した場合、ストリーム・メディア・データを画像に変換して再生するように構成されている。
【０１０１】
好ましくは、装置は、第２の端末が装置情報を再生装置のリストに追加するような特定のルータを介して無線ローカル・エリア・ネットワークに接続されている場合、第２の端末の装置情報をこの特定のルータに送信するように構成されている装置情報送信モジュールをさらに含む。
【０１０２】
本開示の実施形態では、第１の端末から送信されたスマートカメラの再生アドレスが受信され、その後、ストリーム・メディア・データが再生アドレスに従ってスマートカメラから取得され、画像に変換されて再生される。リストは、第１の端末以外の他の端末の装置情報を含むことができる。それ故に、本開示の実施形態によれば、スマートカメラを用いて構成された第１の端末によってストリーム・メディア・データを再生できるだけでなく、端末からの制限なしに再生されることがあるようなストリーム・メディア・データを再生するための別の端末に自由に切り換えることもできるので、ストリーム・メディア・データを再生する柔軟性を改善する。
【０１０３】
上記実施形態における装置に関して、この装置の中の個別のモジュールの具体的な動作モードは、方法に関する実施形態において詳述されているので、ここでは詳述しない。
【０１０４】
図８は、例示的な実施形態によるストリーム・メディア・データを再生する装置８００のブロック図である。たとえば、装置８００は、携帯電話機、コンピュータ、デジタル放送端末、メッセージング装置、ゲーム機、タブレット、医療装置、エクササイズ器具、個人情報端末などでもよい。
【０１０５】
図８を参照すると、装置８００は、以下のコンポーネント：処理コンポーネント８０２、メモリ８０４、電力コンポーネント８０６、マルチメディアコンポーネント８０８、オーディオコンポーネント８１０、入力／出力（Ｉ／Ｏ）インターフェース８１２、センサコンポーネント８１４、および通信コンポーネント８１６のうち１つ以上を含むことがある。
【０１０６】
処理コンポーネント８０２は、典型的に、表示、通話、データ通信、カメラ動作、および記録動作に関連付けられた動作のような装置８００の全体的な動作を制御する。処理コンポーネント８０２は、前述の方法におけるステップの全部もしくは一部を行う命令を実行するために１台以上のプロセッサ８２０を含むことがある。さらに、処理コンポーネント８０２は、処理コンポーネント８０２と他のコンポーネントとの間の相互作用を実現し易くする１つ以上のモジュールを含むことがある。例として、処理コンポーネント８０２は、マルチメディアコンポーネント８０８と処理コンポーネント８０２との間の相互作用を実現し易くするためにマルチメディアモジュールを含むことがある。
【０１０７】
メモリ８０４は、装置８００の動作をサポートするために様々な種類のデータを記憶するように構成されている。このようなデータの例は、装置８００上で動作されるいずれかのアプリケーションもしくは方法のための命令、連絡先データ、電話帳データ、メッセージ、ピクチャー、ビデオなどを含む。メモリ８０４は、スタティック・ランダム・アクセス・メモリ（ＳＲＡＭ）、電気的に消去可能なプログラマブル・リード・オンリー・メモリ（ＥＥＰＲＯＭ）、消去可能なプログラマブル・リード・オンリー・メモリ（ＥＰＲＯＭ）、プログラマブル・リード・オンリー・メモリ（ＰＲＯＭ）、リード・オンリー・メモリ（ＲＯＭ）、磁気メモリ、フラッシュメモリ、磁気もしくは光ディスクのようないずれかの種類の揮発性もしくは不揮発性メモリ装置、またはこれらの組み合わせを使用して実施されることがある。
【０１０８】
電力コンポーネント８０６は、装置８００の様々なコンポーネントに給電する。電力コンポーネント８０６は、電力管理システム、１台以上の電源、および装置８００における電力の発生、管理、および分配に関連付けられた他のコンポーネントを含むことがある。
【０１０９】
マルチメディアコンポーネント８０８は、装置８００とユーザとの間に出力インターフェースを提供する画面を含む。一部の実施形態では、画面は、液晶ディスプレイ（ＬＣＤ）およびタッチパネル（ＴＰ）を含むことがある。画面がタッチパネルを含む場合、画面は、ユーザから入力信号を受信するためのタッチスクリーンとして実施されることがある。タッチパネルは、タッチパネル上の接触、スワイプ、およびジェスチャを感知するための１つ以上のタッチセンサを含む。タッチセンサは、接触もしくはスワイプ動作の境界を感知するだけでなく、接触もしくはスワイプ動作に関連付けられた期間および圧力を感知することもある。一部の実施形態では、マルチメディアコンポーネント８０８は、前方カメラおよび／または後方カメラを含む。前方カメラおよび後方カメラは、装置８００が、撮影モードもしくはビデオモードのような動作モードにある間、外部マルチメディアデータを受信することがある。前方カメラおよび後方カメラの各々は、固定光学レンズ系であること、または、焦点もしくは光学ズーム能力を有することがある。
【０１１０】
オーディオコンポーネント８１０は、オーディオ信号を出力および／または入力するように構成されている。たとえば、オーディオコンポーネント８１０は、装置８００が、通話モード、記録モード、および音声認識モードのような動作モードにあるとき、外部オーディオ信号を受信するように構成されているマイクロホン（ＭＩＣ）を含む。受信されたオーディオ信号は、メモリ８０４にさらに記憶される、または、通信コンポーネント８１６を介して送信されることがある。一部の実施形態では、オーディオコンポーネント８１０は、オーディオ信号を出力するためにスピーカをさらに含む。
【０１１１】
Ｉ／Ｏインターフェース８１２は、処理コンポーネント８０２と、キーボード、クリックホイール、ボタンなどのような周辺インターフェースモジュールとの間にインターフェースを提供する。ボタンは、限定されることはないが、ホームボタン、ボリュームボタン、起動用ボタン、およびロック用ボタンを含むことがある。
【０１１２】
センサコンポーネント８１４は、装置８００の様々な態様の状態評価を行うための１台以上のセンサを含む。例として、センサコンポーネント８１４は、装置８００の開／閉状態、たとえば、装置８００のディスプレイおよびキーパッドのようなコンポーネントの相対的な位置決め、装置８００もしくは装置８００のコンポーネントの位置の変化、装置８００とのユーザ接触の有無、装置８００の姿勢もしくは加速／減速、および、装置８００の温度の変化を検出することがある。センサコンポーネント８１４は、物理的な接触なしに近くの物体の存在を検出するように構成されている近接センサを含むことがある。センサコンポーネント８１４は、イメージング応用で用いられるＣＭＯＳもしくはＣＣＤイメージセンサのような光センサをさらに含むことがある。一部の実施形態では、センサコンポーネント８１４は、加速度計センサ、ジャイロスコープセンサ、磁気センサ、圧力センサ、または温度センサをさらに含むことがある。
【０１１３】
通信コンポーネント８１６は、装置８００と他の装置との間で、有線もしくは無線で通信を実現し易くするように構成されている。装置８００は、ＷｉＦｉ、２Ｇ、もしくは３Ｇ、またはこれらの組み合わせのような通信規格に基づいて、無線ネットワークにアクセスできる。例示的な一実施形態では、通信コンポーネント８１６は、ブロードキャストチャネルを介して外部ブロードキャスト管理システムからブロードキャスト信号、または、ブロードキャスト関連情報を受信する。例示的な一実施形態では、通信コンポーネント８１６は、短距離通信を実現し易くするために近距離無線通信（ＮＦＣ）モジュールをさらに含む。たとえば、ＮＦＣモジュールは、無線周波数識別（ＲＦＩＤ）技術、赤外線データ通信機能標準化協会（ＩｒＤＡ）技術、超広帯域（ＵＷＢ）技術、ブルートゥース（ＢＴ）技術、および他の技術に基づいて実装されることがある。
【０１１４】
例示的な実施形態では、装置８００は、前述の方法を行う１つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールド・プログラマブル・ゲート・アレイ（ＦＰＧＡ）、コントローラ、マイクロコントローラ、マイクロプロセッサ、または他の電子コンポーネントを用いて実施されることがある。
【０１１５】
例示的な実施形態では、命令を含むメモリ８０４などのような命令を含む非一時的なコンピュータ読み取り可能な記憶媒体がさらに提供される。上記命令は、前述の方法を行うため装置８００内のプロセッサ８２０によって実行可能である。たとえば、非一時的なコンピュータ読み取り可能な記憶媒体は、ＲＯＭ、ＲＡＭ、ＣＤ−ＲＯＭ、磁気テープ、フレキシブルディスク、光学式データ記憶装置などでもよい。
【０１１６】
第１の端末のプロセッサによって実行されたとき、第１の端末にストリーム・メディア・データを再生する方法を行わせる命令が記憶されている非一時的なコンピュータ読み取り可能な記憶媒体が提供される。この方法は、スマートカメラによって収集されたストリーム・メディア・データに対応する、スマートカメラの再生アドレスを取得することと、ストリーム・メディア・データを再生する機能を有する少なくとも１台の端末の装置情報を含む再生装置のリストを表示することと、少なくとも１台の端末のうちいずれかの端末であって、再生アドレスに基づいてストリーム・メディア・データを取得し、ストリーム・メディア・データを画像に変換して再生するような第２の端末を選択する命令を受信した場合、再生アドレスを第２の端末に送信することと、を含む。
【０１１７】
好ましくは、スマートカメラの再生アドレスを取得することは、スマートカメラのアドレス情報を取得することと、アドレス情報に基づいて特定のフォーマットに従って再生アドレスを発生させることとを含む。
【０１１８】
好ましくは、スマートカメラのアドレス情報を取得することは、スマートカメラおよび第１の端末を収容しているネットワークである無線ローカル・エリア・ネットワークを介してスマートカメラによって送信された、スマートカメラのアドレス情報を少なくとも搬送するブロードキャストパケットを受信すること、または、スマートカメラが特定のルータを介して無線ローカル・エリア・ネットワークに接続されている場合、特定のルータからスマートカメラのアドレス情報を取得するために、アドレス情報を取得することについての要求を特定のルータに送信すること、または、スマートカメラの識別情報を取得するためにスマートカメラに貼り付けられたグラフィックコードを走査し、ネットワークサーバからスマートカメラのアドレス情報を取得するためにスマートカメラの識別情報をネットワークサーバに送信することを含む。
【０１１９】
好ましくは、再生装置のリストを表示することは、少なくとも１台の端末が特定のルータを介して無線ローカル・エリア・ネットワークに接続されているとき、リストを取得することについての要求を特定のルータに送信することと、特定のルータから送信された再生装置のリストを受信することと、再生装置のリストを表示することとを含む。
【０１２０】
本開示の実施形態では、スマートカメラの再生アドレスが取得され、その後、ユーザがリストからストリーム・メディア・データを再生するための第２の端末を選択するような再生装置のリストが表示される。第２の端末が決定されたとき、再生アドレスは、スマートカメラから収集されたストリーム・メディア・データを取得し、データを画像に変換して再生するような第２の端末に送信される。リストは、第１の端末以外の他の端末の装置情報を含むことができる。それ故に、本開示の実施形態によれば、スマートカメラを用いて構成された第１の端末によってストリーム・メディア・データを再生できるだけではなく、端末からの制限なしに再生されることがあるようなストリーム・メディア・データを再生するための別の端末に自由に切り換えることもできるので、ストリーム・メディア・データを再生する柔軟性を改善する。
【０１２１】
図９は、例示的な実施形態によるストリーム・メディア・データを再生する別の装置９００のブロック図である。たとえば、装置９００は、携帯電話機、コンピュータ、デジタル放送端末、メッセージング装置、ゲーム機、タブレット、医療装置、運動器具、個人情報端末などでもよい。
【０１２２】
図９を参照すると、装置９００は、以下のコンポーネント：処理コンポーネント９０２と、メモリ９０４と、電力コンポーネント９０６と、マルチメディアコンポーネント９０８と、オーディオコンポーネント９１０と、入力／出力（Ｉ／Ｏ）インターフェース９１２と、センサコンポーネント９１４と、通信コンポーネント９１６とのうち１つ以上を含むことがある。
【０１２３】
処理コンポーネント９０２は、典型的に、表示、通話、データ通信、カメラ動作、および記録動作に関連付けられた動作のような装置９００の全体的な動作を制御する。処理コンポーネント９０２は、前述の方法におけるステップの全部もしくは一部を行う命令を実行するための１台以上のプロセッサ（９２０）を含むことがある。さらに、処理コンポーネント９０２は、処理コンポーネント９０２と他のコンポーネントとの間の相互作用を実現し易くする１つ以上のモジュールを含むことがある。例として、処理コンポーネント９０２は、マルチメディアコンポーネント９０８と処理コンポーネント９０２との間の相互作用を実現し易くするためにマルチメディアモジュールを含むことがある。
【０１２４】
メモリ９０４は、装置９００の動作をサポートするために様々な種類のデータを記憶するように構成されている。このようなデータの例は、装置９００上で動かされるいずれかのアプリケーションもしくは方法のための命令、連作先、電話帳データ、メッセージ、ピクチャー、ビデオなどを含む。メモリ９０４は、スタティック・ランダム・アクセス・メモリ（ＳＲＡＭ）、電気的に消去可能なプログラマブル・リード・オンリー・メモリ（ＥＥＰＲＯＭ）、消去可能なプログラマブル・リード・オンリー・メモリ（ＥＰＲＯＭ）、プログラマブル・リード・オンリー・メモリ（ＰＲＯＭ）、リード・オンリー・メモリ（ＲＯＭ）、磁気メモリ、フラッシュメモリ、磁気もしくは光ディスクのようないずれかの種類の揮発性もしくは不揮発性メモリ装置、またはこれらの組み合わせを使用して実施されることがある。
【０１２５】
電力コンポーネント９０６は、装置９００の様々なコンポーネントに給電する。電力コンポーネント９０６は、電力管理システム、１台以上の電源、および装置９００における電力の発生、管理、および分配に関連付けられた他のコンポーネントを含むことがある。
【０１２６】
マルチメディアコンポーネント９０８は、装置９００とユーザとの間に出力インターフェースを提供する画面を含む。一部の実施形態では、画面は、液晶ディスプレイ（ＬＣＤ）およびタッチパネル（ＴＰ）を含むことがある。画面がタッチパネルを含む場合、画面は、ユーザから入力信号を受信するためのタッチスクリーンとして実施されることがある。タッチパネルは、タッチパネル上の接触、スワイプ、およびジェスチャを感知するための１つ以上のタッチセンサを含む。タッチセンサは、接触もしくはスワイプ動作の境界を感知するだけでなく、接触もしくはスワイプ動作に関連付けられた期間および圧力を感知することもある。一部の実施形態では、マルチメディアコンポーネント９０８は、前方カメラおよび／または後方カメラを含む。前方カメラおよび後方カメラは、装置９００が、撮影モードもしくはビデオモードのような動作モードにある間、外部マルチメディアデータを受信することがある。前方カメラおよび後方カメラの各々は、固定光学レンズ系であること、または、焦点もしくは光学ズーム能力を有することがある。
【０１２７】
オーディオコンポーネント９１０は、オーディオ信号を出力および／または入力するように構成されている。たとえば、オーディオコンポーネント９１０は、装置９００が、通話モード、記録モード、および音声認識モードのような動作モードにあるとき、外部オーディオ信号を受信するように構成されているマイクロホン（ＭＩＣ）を含む。受信されたオーディオ信号は、メモリ９０４にさらに記憶される、または、通信コンポーネント９１６を介して送信されることがある。一部の実施形態では、オーディオコンポーネント９１０は、オーディオ信号を出力するためのスピーカをさらに含む。
【０１２８】
Ｉ／Ｏインターフェース９１２は、処理コンポーネント９０２と、キーボード、クリックホイール、ボタンなどのような周辺インターフェースモジュールとの間にインターフェースを提供する。ボタンは、限定されることはないが、ホームボタン、ボリュームボタン、起動用ボタン、およびロック用ボタンを含むことがある。
【０１２９】
センサコンポーネント９１４は、装置９００の様々な態様の状態評価を行うために１台以上のセンサを含む。例として、センサコンポーネント９１４は、装置９００の開／閉状態、装置９００のたとえば、ディスプレイおよびキーパッドのようなコンポーネントの相対的な位置決め、装置９００もしくは装置９００のコンポーネントの位置の変化、装置９００とのユーザ接触の有無、装置９００の姿勢もしくは加速／減速、および、装置９００の温度の変化を検出することがある。センサコンポーネント９１４は、物理的な接触なしに近くの物体の存在を検出するように構成されている近接センサを含むことがある。センサコンポーネント９１４は、イメージング応用で用いられるＣＭＯＳもしくはＣＣＤイメージセンサのような光センサをさらに含むことがある。一部の実施形態では、センサコンポーネント９１４は、加速度計センサ、ジャイロスコープセンサ、磁気センサ、圧力センサ、または温度センサをさらに含むことがある。
【０１３０】
通信コンポーネント９１６は、装置９００と他の装置との間で、有線もしくは無線で通信を実現し易くするように構成されている。装置９００は、ＷｉＦｉ、２Ｇ、もしくは３Ｇ、またはこれらの組み合わせのような通信規格に基づいて、無線ネットワークにアクセスできる。例示的な一実施形態では、通信コンポーネント９１６は、ブロードキャストチャネルを介して外部ブロードキャスト管理システムからブロードキャスト信号、または、ブロードキャスト関連情報を受信する。例示的な一実施形態では、通信コンポーネント９１６は、短距離通信を実現し易くするための近距離無線通信（ＮＦＣ）モジュールをさらに含む。たとえば、ＮＦＣモジュールは、無線周波数識別（ＲＦＩＤ）技術、赤外線データ通信機能標準化協会（ＩｒＤＡ）技術、超広帯域（ＵＷＢ）技術、ブルートゥース（ＢＴ）技術、および他の技術に基づいて実施されることがある。
【０１３１】
例示的な実施形態では、装置９００は、前述の方法を行う１つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールド・プログラマブル・ゲート・アレイ（ＦＰＧＡ）、コントローラ、マイクロコントローラ、マイクロプロセッサ、または他の電子コンポーネントを用いて実施されることがある。
【０１３２】
例示的な実施形態では、命令を含むメモリ９０４などのような命令を含む非一時的なコンピュータ読み取り可能な記憶媒体がさらに提供される。上記命令は、前述の方法を行うため装置９００内のプロセッサ９２０によって実行可能である。たとえば、非一時的なコンピュータ読み取り可能な記憶媒体は、ＲＯＭ、ＲＡＭ、ＣＤ−ＲＯＭ、磁気テープ、フレキシブルディスク、光学式データ記憶装置などでもよい。
【０１３３】
第２の端末のプロセッサによって実行されたとき、第２の端末にストリーム・メディア・データを再生する方法を行わせる命令が記憶されている非一時的なコンピュータ読み取り可能な記憶媒体が提供される。この方法は、第１の端末から送信された、スマートカメラの再生アドレスであり、スマートカメラによって収集されたストリーム・メディア・データに対応する再生アドレスを受信することと、再生アドレスを搬送する、ストリーム・メディア・データを取得することについての要求をスマートカメラに送信することと、スマートカメラから送信されたストリーム・メディア・データを受信した場合、ストリーム・メディア・データを再生のための画像に変換することとを含む。
【０１３４】
好ましくは、第１の端末から送信された再生アドレスを受信する前に、この方法は、第２の端末が、装置情報を再生装置のリストに追加するような特定のルータを介して無線ローカル・エリア・ネットワークに接続されているとき、第２の端末の装置情報を特定のルータに送信することをさらに含む。
【０１３５】
本開示の実施形態では、第１の端末から送信されたスマートカメラの再生アドレスが受信され、その後、ストリーム・メディア・データが再生アドレスに従ってスマートカメラから取得され、画像に変換され、再生される。リストは、第１の端末以外の他の端末の装置情報を含むことができる。それ故に、本開示の実施形態によれば、スマートカメラを用いて構成された第１の端末によってストリーム・メディア・データを再生できるだけではなく、端末からの制限なしに再生されることがあるストリーム・メディア・データを再生するために別の端末に自由に切り換えることもできるので、ストリーム・メディア・データを再生する柔軟性を改善する。
【０１３６】
発明の他の実施形態は、ここに開示された発明の明細書および実施の検討から当業者に明らかであろう。本出願は、発明の一般的な原理に従い、かつ、当該技術分野において既知もしくは通常の実施の範囲に入るような本開示からの逸脱を含む発明の変形、使用、または適合をどれでも対象に含めることが意図されている。発明の真の範囲および趣旨は、以下の特許請求の範囲によって示され、明細書および例は、単に例示と見なされることが意図されている。
【０１３７】
本発明は、前述され、かつ、添付図面において例示されたそのままの構成に限定されるものではなく、様々な改良および変更が本発明の範囲から逸脱することなく行われ得ることが認められるであろう。発明の範囲は、特許請求の範囲だけによって限定されることが意図されている。 
【誤訳訂正２】
【訂正対象書類名】特許請求の範囲
【訂正対象項目名】全文
【訂正方法】変更
【訂正の内容】
【特許請求の範囲】
【請求項１】
ストリーム・メディア・データを再生する方法であって、
第１の端末によって、スマートカメラによって収集された前記ストリーム・メディア・データに対応する、前記スマートカメラの再生アドレスを取得することと、
前記第１の端末によって、前記ストリーム・メディア・データを再生する機能を有する少なくとも１台の端末の装置情報を含む再生装置のリストを表示することと、
前記第１の端末が、前記少なくとも１台の端末のうちいずれかの端末であって、前記再生アドレスに基づいて前記ストリーム・メディア・データを取得し、前記ストリーム・メディア・データを画像に変換して再生するような第２の端末を選択する命令を受信した場合、前記再生アドレスを前記第２の端末に送信することと
を含む方法。
【請求項２】
前記第１の端末によって前記スマートカメラの前記再生アドレスを取得することは、
前記第１の端末によって前記スマートカメラのアドレス情報を取得することと、
前記アドレス情報に基づいて前記第１の端末によって特定のフォーマットに従って前記再生アドレスを発生させることと、
を含む、請求項１に記載の方法。
【請求項３】
前記第１の端末によって前記スマートカメラのアドレス情報を取得することは、
前記第１の端末によって、前記スマートカメラおよび前記第１の端末を収容しているネットワークである無線ローカル・エリア・ネットワークを介して前記スマートカメラにより送信された、前記スマートカメラの前記アドレス情報を少なくとも搬送するブロードキャストパケットを受信すること、または、
前記スマートカメラが特定のルータを介して前記無線ローカル・エリア・ネットワークに接続されている場合、前記特定のルータから前記スマートカメラの前記アドレス情報を取得するために、前記第１の端末によって前記アドレス情報を取得することについての要求を前記特定のルータに送信すること、または、
前記スマートカメラの識別情報を取得するために、前記第１の端末によって、前記スマートカメラに貼り付けられたグラフィックコードを走査し、ネットワークサーバから前記スマートカメラの前記アドレス情報を取得するために前記スマートカメラの前記識別情報を前記ネットワークサーバに送信すること
を含む、請求項２に記載の方法。
【請求項４】
前記第１の端末によって前記再生装置のリストを表示することは、
前記少なくとも１台の端末が特定のルータを介して無線ローカル・エリア・ネットワークに接続されている場合、前記第１の端末によって、前記リストを取得することについての要求を前記特定のルータに送信することと、
前記第１の端末によって、前記特定のルータから送信された前記再生装置のリストを受信することと、
前記第１の端末によって前記再生装置のリストを表示することと、
を含む、請求項１〜３のいずれかに記載の方法。
【請求項５】
ストリーム・メディア・データを再生する方法であって、
第２の端末によって、第１の端末から送信された、スマートカメラの再生アドレスであり、前記スマートカメラによって収集された前記ストリーム・メディア・データに対応し、スマートカメラのアドレス情報に基づく特定のフォーマットに従って発生される再生アドレスを受信することと、
前記第２の端末によって、前記再生アドレスを搬送する、前記ストリーム・メディア・データを取得することについての要求を前記スマートカメラに送信することと、
前記第２の端末が前記スマートカメラから送信された前記ストリーム・メディア・データを受信した場合、前記ストリーム・メディア・データを画像に変換して再生することと、
を含む方法。
【請求項６】
前記第２の端末によって前記第１の端末から送信された前記再生アドレスを受信する前に、
前記第２の端末が特定のルータを介して無線ローカル・エリア・ネットワークに接続されている場合、前記第２の端末によって前記第２の端末の装置情報を前記特定のルータに送信し、前記特定のルータによって前記装置情報を再生装置のリストに追加することをさらに含む、
請求項５に記載の方法。
【請求項７】
ストリーム・メディア・データを再生する装置であって、
スマートカメラによって収集された前記ストリーム・メディア・データに対応する前記スマートカメラの再生アドレスを取得するように構成されている再生アドレス取得モジュールと、
前記ストリーム・メディア・データを再生する機能を有する少なくとも１台の端末の装置情報を含む再生装置のリストを表示するように構成されているリスト表示モジュールと、
前記少なくとも１台の端末のうちいずれかの端末であって、前記再生アドレスに基づいて前記ストリーム・メディア・データを取得し、前記ストリーム・メディア・データを画像に変換して再生するような第２の端末を選択する命令を受信した場合、前記再生アドレスを前記第２の端末に送信するように構成されている再生アドレス送信モジュールと、
を備える装置。
【請求項８】
前記再生アドレス取得モジュールは、
前記スマートカメラのアドレス情報を取得するように構成されているアドレス情報取得ユニットと、
前記アドレス情報に基づいて特定のフォーマットに従って前記再生アドレスを発生させるように構成されている再生アドレス発生ユニットと、
を備える、請求項７に記載の装置。
【請求項９】
前記アドレス情報取得ユニットは、
前記スマートカメラおよび第１の端末を収容しているネットワークである無線ローカル・エリア・ネットワークを介して前記スマートカメラによって送信された、前記スマートカメラの前記アドレス情報を少なくとも搬送するブロードキャストパケットを受信するように構成されている受信サブユニット、または、
前記スマートカメラが特定のルータを介して前記無線ローカル・エリア・ネットワークに接続されている場合、前記特定のルータから前記スマートカメラの前記アドレス情報を取得するために、前記アドレス情報を取得することについての要求を前記特定のルータに送信するように構成されている送信サブユニット、または、
前記スマートカメラの識別情報を取得するために前記スマートカメラに貼り付けられたグラフィックコードを走査し、ネットワークサーバから前記スマートカメラの前記アドレス情報を取得するために、前記スマートカメラの前記識別情報を前記ネットワークサーバに送信するように構成されている走査サブユニット
を備える、請求項８に記載の装置。
【請求項１０】
前記リスト表示モジュールは、
前記少なくとも１台の端末が特定のルータを介して無線ローカル・エリア・ネットワークに接続されているとき、前記リストを取得することについての要求を前記特定のルータに送信するように構成されている要求送信ユニットと、
前記特定のルータから送信された前記再生装置のリストを受信するように構成されているリスト受信ユニットと、
前記再生装置のリストを表示するように構成されているリスト表示ユニットと、
を備える、請求項７〜９のいずれかに記載の装置。
【請求項１１】
ストリーム・メディア・データを再生する装置であって、
第１の端末から送信された、スマートカメラの再生アドレスであり、前記スマートカメラによって収集された前記ストリーム・メディア・データに対応する再生アドレスを受信するように構成されている再生アドレス受信モジュールと、
前記再生アドレスを搬送する、前記ストリーム・メディア・データを取得することについての要求を前記スマートカメラに送信するように構成されている要求送信モジュールと、
前記スマートカメラから送信された前記ストリーム・メディア・データを受信した場合、前記ストリーム・メディア・データを画像に変換して再生するように構成されている再生モジュールと、
を備える装置。
【請求項１２】
第２の端末が、装置情報を再生装置のリストに追加する特定のルータを介して無線ローカル・エリア・ネットワークに接続されている場合、前記第２の端末の前記装置情報を前記特定のルータに送信するように構成されている装置情報送信モジュールをさらに備える、請求項１１に記載の装置。
【請求項１３】
コンピュータ上で動くとき、請求項１から６のいずれか一項に記載のストリーム・メディア・データを再生する方法を前記コンピュータに実行させるコンピュータプログラム。
【請求項１４】
請求項１３に記載のコンピュータプログラムが記憶されているコンピュータ読み取り可能な記憶媒体。
【誤訳訂正３】
【訂正対象書類名】図面
【訂正対象項目名】図１
【訂正方法】変更
【訂正の内容】
【図１】
2017501598.tif 000002
【誤訳訂正４】
【訂正対象書類名】図面
【訂正対象項目名】図２
【訂正方法】変更
【訂正の内容】
【図２】
2017501598.tif 000003
【誤訳訂正５】
【訂正対象書類名】図面
【訂正対象項目名】図３
【訂正方法】変更
【訂正の内容】
【図３】
2017501598.tif 000004
【誤訳訂正６】
【訂正対象書類名】図面
【訂正対象項目名】図５
【訂正方法】変更
【訂正の内容】
【図５】
2017501598.tif 000005
【誤訳訂正７】
【訂正対象書類名】図面
【訂正対象項目名】図６
【訂正方法】変更
【訂正の内容】
【図６】
2017501598.tif 000006
【誤訳訂正８】
【訂正対象書類名】図面
【訂正対象項目名】図７
【訂正方法】変更
【訂正の内容】
【図７】
2017501598.tif 000007